(57)【特許請求の範囲】
【請求項１】
酸洗後、防錆油を塗布した帯鋼を再酸洗のため酸洗装置に送り込む際に使用され、帯鋼に付着する防錆油を拭き取る脱脂装置において、油吸着マットを巻付けた上下一対のプレートよりなり、上側のプレートは昇降可能に支持され、上側のプレートを昇降させる作動装置を設けたことを特徴とする再酸洗用帯鋼の脱脂装置。
【請求項２】
上下のプレートのうち、少なくとも下側のプレートが取外し可能である請求項１記載の再酸洗用帯鋼の脱脂装置。
【請求項３】
下側のプレートは昇降可能である請求項１記載の再酸洗用帯鋼の脱脂装置。
【請求項４】
降下したプレートにはカバーが被せられる請求項３記載の再酸洗用帯鋼の脱脂装置。
【請求項５】
上下のプレートは帯鋼の進行方向に対し傾斜して配置される請求項１ないし４のいづれかの請求項に記載の再酸洗用帯鋼の脱脂装置。
【請求項６】
入側には帯鋼先端を持ち上げるリフターが設けられる請求項１ないし５のいづれかの請求項に記載の再酸洗用帯鋼の脱脂装置。
【発明の詳細な説明】
【０００１】
【発明が属する技術分野】
本発明は、酸洗した帯鋼を再酸洗のため酸洗装置に送り込む際、帯鋼に塗布した防錆油を除去するための脱脂装置に関する。
【０００２】
【従来技術】
酸洗は、帯鋼表面に生成した酸化スケール層を除去するために行われ、酸洗後、錆止めのために防錆油が帯鋼表裏面に塗布される。酸洗処理された帯鋼は、脱スケールが不十分であったり、倉庫に滞貨している間に錆が発生すると再び酸洗処理されるが、防錆油を塗布後、再酸洗のために酸洗槽に通すと、防錆油で槽内が汚れる不具合が生じる。そこで従来は連続酸洗装置のアンコイラレベラー出側において、再酸洗材を油吸着マットにて上下より挟み込み、各マットに界面活性剤を添加した水溶液を供給して表面の防錆油を拭き取っていた。油吸着マットによる挟み込みは、具体的には油吸着マットを巻付けた足場材をローラテーブル上に掛け渡したのち、帯鋼先端を油吸着マット上に載せ、更にその上に油吸着マットを巻付けた足場材を載せ、上下の足場材の両端を万力にて締着していた。
【０００３】
【発明が解決しようとする課題】
上述の油吸着マットによる挟み込み作業は、手間がかゝり作業性が悪い。ことに帯鋼先端を油吸着マット上に載せる際、帯鋼先端が前下りになっていると、帯鋼先端をパールを差込んで持ち上げたり、マンボを挿入して持ち上げねばならず、手間がより一層かゝり作業性が悪くなる。その上、上記作業時に帯鋼先端が跳ね上がる潜在的な危険性がある。
【０００４】
本発明は、帯鋼表面の防錆油を除去する作業性のよい脱脂装置を提供することを第１の目的とし、更に前下がりの帯鋼先端を持ち上げるときの危険な作業を解消することのできる脱脂装置を提供することを第２の目的とする。
【０００５】
【課題の解決手段】
第１の目的を達成する第１の発明は、酸洗後、防錆油を塗布した帯鋼を再酸洗のため酸洗装置に送り込む際に使用され、帯鋼に付着する防錆油を拭き取る脱脂装置において、油吸着マットを巻付けた上下一対のプレートよりなり、上側のプレートは昇降可能に支持され、上側のプレートを昇降させる作動装置を設けたことを特徴とする。
【０００６】
本発明において、帯鋼表面の防錆油の拭取りは、上側のプレートを持ち上げた状態で下側のプレート上に帯鋼先端を載せ、ついで上側のプレートを降下させ、上下のプレートに巻付けた油吸着マットで帯鋼を挟み付けて行う。
本発明で用いる作動装置としては、例えば油圧または空気圧シリンダー、ジャッキ等を例示することができる。
【０００７】
通常の酸洗時で本装置を使用する必要がないときには、下側のプレートが帯鋼に接触しないようにしておくことが望ましい。そのためには例えば、下側のプレートが取外されるか、或いは帯鋼と接触しない位置に降下して退避できるようにしておくとよい。
したがって第２の発明は、上記第１の発明において、少なくとも下側のプレートを着脱可能としたことを特徴とし、第３の発明は、下側のプレートを昇降可能で、第１の発明と同様の作動装置である第２の作動装置により昇降できるようにしたことを特徴とする。第３の発明においては、降下したプレート上を走行する帯鋼からスケールが落下して油吸着マットを汚すことがないように油吸着マット上にカバーを被せておくのが望ましい。
【０００８】
したがって第４の発明は、第３の発明において、降下したプレートの油吸着マット上にカバーを被せることを特徴とする。
第５の発明は、上記第１ないし第４の発明において、上下のプレートを帯鋼の進行方向に対し傾斜して配置したことを特徴とする。
本発明によれば、同一幅のマットでもマットを傾斜させることにより帯鋼進行方向におけるマットの接触長さが長くなり、油拭取り効果が向上する。
【０００９】
第２の目的を達成する第６の発明は、上記第１及び第５の発明において、脱脂装置の入側に帯鋼先端を持ち上げるリフターを設けたことを特徴とする。このリフターは好ましくは昇降可能に支持されるローラと、ローラを昇降させる昇降装置とより構成され、昇降装置としては例えば、油圧又は空気圧シリンダー、ジャッキ等が例示される。
【００１０】
本発明によれば、リフターで帯鋼先端が持上げられ、帯鋼先端を持ち上げる作業が省かれる。
【００１１】
【発明の実施の形態】
図１は、アンコイラレベラーの出側に配置される脱脂装置Ａのレイアウトを示すもので、帯鋼の進行方向（矢印方向）と直交する方向と適宜の角度θをなして斜めに配置され、入側のローラテーブルＢにはローラよりなるリフターＣが配置されている。
【００１２】
脱脂装置Ａは図２及び図３に示されるように、テーブルＢの両側に設置される門型のスタンド１と、両スタンド１の桁１ａ上に出し入れ可能に掛け渡され、油吸着マット２を巻き付けた下部プレート３と、各スタンド上端の桁１ｂに取着されるエアシリンダー４に昇降可能に支持されるブラケット５ａ、５ｂと、両ブラケット５ａ、５ｂに着脱可能に取着され、油吸着マット２を巻付けた上部プレート６とよりなり、以下各プレート３及び６について詳述する。
【００１３】
下部プレート３は図４に示されるように、一端より他端に向かって上面中央に形成される長溝７に図示省略したポンプに接続される孔開きホース８を装着し、その上に巻付けた油吸着マット２が、両端をクリップ９で着脱可能に止着された押えバンド１１で掛け渡されて固定されるようになっている。そして両端には平溝１２を有している。
【００１４】
下部プレート３は一側のスタンド１（図２の右側のスタンド）の桁上より他端のスタンド１（図２の左側のスタンド）の桁上に差し込まれ、両桁上に掛け渡されて横架されるが、横架された下部プレート３を固定するために図２に示す左側のスタンド１では、桁１ａに桁１ａと一定の間隙を存して固着される鉤金具１３を有している。一方右側のスタンド１では、取手１６を備えた鉤金具１４と、鉤金具１４を桁１ａに止着するピン１５とを有している。
【００１５】
下部プレート３を取り付けるときには、図２の右側のスタンド１の桁上より下部プレート３を水平に差込み、その一端を左側のスタンド１の桁上に掛け、鉤金具１３と桁１ａとの間の隙間に平溝１２を形成した一端が入るように、すなわち平溝内に鉤金具１３が入るようにして限度一杯まで押し込む。その後、取手１６を掴んで鉤金具１４を右側のスタンド１の桁上より平溝１２内に嵌合するようにして掛け、当て板１７を当てがったのちピン１５を桁１ａに差込んで止着する。
【００１６】
上部プレート６は、下部プレート３より若干長く、孔開きホース８が下面中央に形成される長溝内に装着され、かつ両端に平溝を有しない以外は、下部プレート３と同一構造を有している。
上部プレート６を固定するために図２に示す左側のスタンド１では、ブラケット５ａに受け金具１８が固着され、ブラケット５ａと受け金具１８との間に上部プレート６の一端が差込まれるようになっている。一方、右側のスタンド１では、ブラケット５ｂに上部プレート６を抱持する取手２１付きのコ字形の掛け金具２２と、掛け金具２２をブラケット５ｂに止着するピン２３とを有している。
【００１７】
上部プレート６を取り付けるときには、図２の右側のスタンド１より上部プレート６を水平に差込み、その一端をブラケット５ａと受け金具１８との間に限度一杯まで押込む。その後上部プレート他端をブラケット５ｂに下側より押し付けたのち、取手２１を掴んで掛け金具２２を押込み、上部プレート他端をブラケット５ｂに抱持させる。
【００１８】
リフターＣは、ローラ２６と、ローラ２６を両端において支持するエアシリンダー（図示省略）とよりなり、エアシリンダーによりローラ２６がローラテーブルＢより上下に昇降できるようになっている。
本装置は以上のように構成され、再酸洗のため帯鋼がローラテーブルＢで搬送され、その先端がリフターＣを越えると、リフターＣで持上げられ、上部プレート６を上昇させた脱脂装置Ａの下部プレート３に巻付けた油吸着マット上に載せられる。帯鋼先端が油吸着マット上に載ったのち、ローラテーブルＢによる搬送を一旦停止し、ついでエアシリンダー４の図示省略した切換弁を切換えて上部プレート６を降下させる。そして上下のプレート３及び６の油吸着マット２で帯鋼先端を挟み込み圧着する。同時にリフターＣのローラ２６をローラテーブルＢ下に降下させる。その後上下のプレート３及び６の孔開きホース８に界面活性剤を添加した水溶液を供給しながら帯鋼をローラテーブルＢで搬送し、離脱装置Ａで帯鋼表面の油拭取りを行う。
【００１９】
なお図３において、２８は帯鋼先端の撥ね上がりを抑制するプロテクターであり、２９は帯鋼尾端の撥ね上がりを抑制するガイドである。
【００２０】
【発明の効果】
請求項１記載の脱脂装置は、油吸着マットを巻付けた上下のプレートのうち、上側のプレートを作動装置により昇降させるようにしたもので、上側のプレートを降下させることにより帯鋼の挟み込みが自動的に行え、従来のような万力による締着作業が必要でなく、作業性が向上する。
【００２１】
請求項２記載の脱脂装置によれば、不要時には下側のプレートを取り外しておくことができる。
請求項３記載の脱脂装置によれば、不要時には下側のプレートを降下させて帯鋼を接触しないようにすることができ、下側のプレートを取り外す必要がない。
請求項４記載の脱脂装置によれば、カバーを被せたことにより、帯鋼から落下するスケールで油吸着マットが汚れることがない。
【００２２】
請求項５記載の脱脂装置のように、プレートを傾斜して配置すれば、油吸着マットの帯鋼への接触長さを実質的に増加させ、油拭取り効果を向上させることができる。
請求項６記載の脱脂装置のようなリフターを設ければ、前下りの帯鋼先端を持ち上げる作業が必要でなくなり、作業性がより向上すると共に、帯鋼先端の撥ね上がりによる危険な作業が解消される。
【図面の簡単な説明】
【図１】本発明のレイアウトを示す図
【図２】本発明に係わる脱脂装置の断面図
【図３】本発明に係わる脱脂装置の側面図
【図４】上部プレートの平面図
【符号の説明】
Ａ・・脱脂装置                  Ｂ・・ローラテーブル
Ｃ・・リフター                  １・・スタンド
１ａ、１ｂ・・桁                ２・・油吸着マット
３・・下部プレート              ４・・エアシリンダー
５ａ、５ｂ・・ブラケット        ６・・上部プレート
７・・長溝                      ８・・孔開きホース
９・・クリップ                  １１・・押えバンド
１２・・平溝                    １３、１４・・鉤金具
１５、２３・・ピン              １６、２１・・取手
１７・・当て板                  １８・・受け金具
２２・・掛け金具                ２６・・ローラ
２８・・プロテクター            ２９・・ガイド
【図１】
0003643194.tif 000002
【図２】
0003643194.tif 000003
【図３】
0003643194.tif 000004
【図４】
0003643194.tif 000005